(57)【要約】【課題】動きの変化パターンが増加し、従前とは異なる斬新な役物の動きが可能となり、遊技者に興趣を与えることができる役物装置を提供すること。【解決手段】役物装置５は、所定方向（遊技盤１００の左右方向）に往復移動する第１可動役物７と、第１可動役物７とは異なる所定方向（遊技盤１００の前後方向）に往復移動する第２可動役物８とを備え、第１可動役物７及び第２可動役物８を遊技盤１００の正面から見て重なり合う位置に配置して構成される。【選択図】図１
2007029255.tif 000002
【特許請求の範囲】
【請求項１】
所定方向に往復移動する第１可動役物と、該第１可動役物とは異なる所定方向に往復移動する第２可動役物とを備え、前記第１可動役物及び前記第２可動役物を遊技盤の正面から見て重なり合う位置に配置して構成されることを特徴とする遊技機の役物装置。
【請求項２】
前記第１可動役物は前記第２可動役物の前方に配置されており、前記第１可動役物を遊技盤の左右方向へ往復移動させる第１役物駆動手段と、前記第２可動役物を遊技盤の前後方向へ往復移動させる第２役物駆動手段とを備えることを特徴とする請求項１に記載の遊技機の役物装置。
【請求項３】
前記第１役物駆動手段は、第１駆動モータと、該第１駆動モータの回転力を円弧状運動に変換して前記第１可動役物を遊技盤の左右方向へ往復移動させる第１変換機構とを備え、また、前記第２役物駆動手段は、第２駆動モータと、該第２駆動モータの回転力を直線運動に変換して前記第２可動役物を遊技盤の前後方向へ往復移動させる第２変換機構とを備え、前記第１変換機構及び前記第２変換機構は、上下に重なり合うよう配置されていることを特徴とする請求項２に記載の遊技機の役物装置。
【請求項４】
前記第１駆動モータ及び前記第２駆動モータはそれぞれ縦置きとされ、両駆動モータは、前記第１変換機構及び前記第２変換機構を挟むように配置されていることを特徴とする請求項３に記載の遊技機の役物装置。
【請求項５】
前記第１可動役物は、互いに接近、離間する左右一対の開閉部材からなり、
かつ、
前記第１変換機構は、
先端に前記開閉部材が各々設けられた、互いに接近、離間可能な一対の揺動部材と、
一方の揺動部材に対し常時開方向の力を加える弾性部材と、
前記一方の揺動部材に加わる開方向の力を他方の揺動部材に伝達する連結機構と、
前記第１駆動モータの回転に従って変位しつつ前記他方の揺動部材の開動作を規制する規制機構と
を備えることを特徴とする請求項４に記載の遊技機の役物装置。
【発明の詳細な説明】
【技術分野】
【０００１】
本発明は、パチンコ遊技機等遊技機の役物装置に関する。
【背景技術】
【０００２】
パチンコ遊技機などに代表される遊技機では、遊技盤に設けられた始動入賞口に遊技球が入賞すると、遊技盤中の可変表示装置に表示される図柄が変動を開始し、所定時間経過後に停止した図柄が予め定めた大当り図柄となった場合に大当り状態となり、遊技者が大量の出球を獲得できるようになっている。このような遊技機では、遊技の興趣を向上させるために様々な表示演出が行われるものがある。例えば、特許文献１には、大当りになると、図柄表示装置の表示内容に連動して役物を左右方向に移動させることが開示されている。また、特許文献２には、図柄が所定の組合せになると、役物を遊技盤の前後方向に移動させることが開示されている。
【特許文献１】特開２００４−１９５０８４公報
【特許文献２】特開平０６−００７５０９号公報
【発明の開示】
【発明が解決しようとする課題】
【０００３】
しかし、上記特許文献に開示される役物は、いずれも同一方向（左右方向又は前後方向）のみに移動する構成であるため、役物の可動量や可動タイミングに変化を与えても似たような動き方となり、遊技者に退屈感を抱かせてしまい、興趣に欠けるという問題がある。
【０００４】
本発明は、上記のような問題点を解決し、従前とは異なる斬新な動きが可能で遊技者に興趣を与えることができる遊技機の役物装置を提供することを目的とする。
【課題を解決するための手段】
【０００５】
本発明の遊技機の役物装置は、所定方向に往復移動する第１可動役物と、該第１可動役物とは異なる所定方向に往復移動する第２可動役物とを備え、前記第１可動役物及び前記第２可動役物を遊技盤の正面から見て重なり合う位置に配置して構成されることを特徴とする。
【０００６】
本発明によると、互いに異なる移動方向をもった２つの可動役物を設けたため、動きの変化パターンを増加させることができ、よって、従前とは異なる斬新な役物の動きが可能となり、遊技者に興趣を与えることができる。
【０００７】
例えば、前記第１可動役物は前記第２可動役物の前方に配置されており、前記第１可動役物を遊技盤の左右方向へ往復移動させる第１役物駆動手段と、前記第２可動役物を遊技盤の前後方向へ往復移動させる第２役物駆動手段とを備える。
【０００８】
ここで、前記第１役物駆動手段は、第１駆動モータと、該第１駆動モータの回転力を円弧状運動に変換して前記第１可動役物を遊技盤の左右方向へ往復移動させる第１変換機構とを備え、また、前記第２役物駆動手段は、第２駆動モータと、該第２駆動モータの回転力を直線運動に変換して前記第２可動役物を遊技盤の前後方向へ往復移動させる第２変換機構とを備え、前記第１変換機構及び前記第２変換機構は、上下に重なり合うよう配置されている。このように第１変換機構と第２変換機構を上下に重なり合うよう配置することにより、役物装置の小型化、コンパクト化を図ることができる。
【０００９】
また、前記第１駆動モータ及び前記第２駆動モータをそれぞれ縦置きとし、両駆動モータを、前記第１変換機構及び前記第２変換機構を挟むように配置することにより、役物装置の上下方向の寸法を短く設定することが可能となる。
【００１０】
前記第１可動役物は、互いに接近、離間する左右一対の開閉部材からなり、かつ、前記第１変換機構は、先端に前記開閉部材が各々設けられた、互いに接近、離間可能な一対の揺動部材と、一方の揺動部材に対し常時開方向の力を加える弾性部材と、前記一方の揺動部材に加わる開方向の力を他方の揺動部材に伝達する連結機構と、前記第１駆動モータの回転に従って変位しつつ前記他方の揺動部材の開動作を規制する規制機構とを備える。
【００１１】
このような構成において、上記一方の揺動部材に対しては常時開方向の力が弾性部材から直接加わっており、また、上記他方の揺動部材に対しては連結機構を介して常時開方向の力が加わっている。一方、上記他方の揺動部材は、規制機構により開動作が規制されており、連結機構を介して上記一方の揺動部材の開動作も規制されている。ここで、規制機構は、第１駆動モータの回転に従って変位するものであり、規制機構は第１駆動モータの回転角度に応じた位置をとり、この規制機構の位置によって上記他方の揺動部材の開度が決まると共に、この他方の揺動部材の開度により連結機構を介して上記一方の揺動部材の開度も決まる。
【００１２】
弾性部材は、その付勢力により連結機構をクリアランスなしに連結状態に保つ作用を発揮する。また、弾性部材は、その付勢力により上記他方の揺動部材を規制機構に押し付ける作用を発揮する。したがって、第１駆動モータの回転角度が変化したときに両揺動部材は応答性、追従性に優れた動作を行うことが可能となり、よって、両揺動部材換言すると第１可動役物を複雑かつ変化に富んだ態様で動作させることが可能となる。
【発明を実施するための最良の形態】
【００１３】
以下、本発明の実施形態を図面に基づいて説明する。
【００１４】
図１は、本発明の一実施形態に係る役物装置が組み込まれたパチンコ遊技機の遊技盤の正面図、図２は、役物装置の非動作時の正面図、図３は、役物装置の非動作時の斜視図、図４は、役物装置の動作時の正面図、図５は、役物装置の動作時の斜視図、図６は、役物装置の分解斜視図、図７は、役物装置の背面図、図８は、第１可動役物の動作を説明するための平面図、図９は、第１可動役物の駆動系を正面側から見た斜視図、図１０は、第１可動役物の駆動系の配線を表した斜視図、図１１は、第１可動役物の一方の揺動部材側の配線を説明するための平面図、図１２は、第２可動役物の動作を説明するための平面図をそれぞれ示す。
【００１５】
図１〜図１２において、遊技盤１００の中央部には装飾部材２００が配設される。
【００１６】
装飾部材２００は、中央部に窓部１を有し、この窓部１をステージ部２と左壁部３と右壁部４と役物装置５とで取り囲んで構成されている。窓部１は、四角形状をしており、各種画像演出を行う図柄表示装置の図柄表示画面を前面に露出させる。
【００１７】
窓部１を挟んだ装飾部材２００の左壁部３及び右壁部４には、それぞれ遊技盤面１０１上を転動している遊技球を装飾部材２００の内側つまりステージ部２上に案内するためのステージ誘導通路部６が設けられている。ステージ部２は、本実施形態の場合、奥行き方向（前後方向）に３つからなる分割ステージ部によって構成され、奥行きが長いステージ部である。ステージ部２に案内された遊技球のうち、ステージ部２の所定の入口に入った遊技球は、始動入賞口１０２の真上に位置する出口２aから遊技盤面１０１へと出て始動入賞口１０２に入賞し易くなり、残りの遊技球はステージ部２上から落下し、多くの場合始動入賞口１０２に入賞しない。
【００１８】
役物装置５は、第１可動役物７と第２可動役物８を有する。
【００１９】
第１可動役物７は、「水戸黄門」と書かれた文字からなり、また、第２可動役物８は、三つ葉葵の紋所からなる。
【００２０】
第１可動役物７は、遊技盤１００の左右方向（幅方向）に往復移動可能であり、互いに接近、離間する左右一対の開閉部材７A、７Bからなる。左側の開閉部材７Aは「水戸」の文字部材からなり、右側の開閉部材７Bは「黄門」の文字部材からなる。第１可動役物７は、非作動時（全閉時）には、図２及び図３に示すように、一対の開閉部材７A、７Bが接近した状態となり、また、作動時（全開時）には、図４及び図５に示すように、一対の開閉部材７A、７Bが離間した状態となる。また、一対の開閉部材７A、７Bは、単に全開状態と全閉状態の２つの態様をとるのみでなく、小刻みに開方向への移動と閉方向への移動を交互に繰り返す動作をとる場合もある。
【００２１】
第２可動役物８は、遊技盤１００の前後方向（厚み方向）に往復移動可能となっている。第２可動役物８は、非作動時には、図２及び図３に示すように、全閉状態の第１可動役物７の後方に位置する後退状態となり、また、作動時には、図４及び図５に示すように、全開状態の第１可動役物７の開口部よりも前方に位置する前進状態となる。
【００２２】
役物装置５は、半長円状のベースプレート１１を備え、このベースプレート１１の上に各種部材、部品を装着して構成されている。
【００２３】
ベースプレート１１の上面には、図６、図８〜図１１に示すような左右一対の板状の揺動部材１２，１３が後端側の各軸部１２a、１３aを中心として円弧状の軌跡を描くように左右方向に揺動可能に装着される。正面視左側の揺動部材１２の先端部１２bには、「水戸」の文字部材からなる開閉部材７Aが取着され、正面視右側の揺動部材１３の先端部１３bには、「黄門」の文字部材からなる開閉部材７Bが取着される。
【００２４】
右側の揺動部材１３は、その先端部１３bの右端部１３cがベースプレート１１の先端部の右ストッパー面１１aと当接することによって開方向（右方向）への移動が規制される。また、左側の揺動部材１２は、その先端部１２bの左端部１２cがベースプレート１１の先端部の左ストッパー面１１bと当接することによって開方向（左方向）への移動が規制され、これにより第１可動役物７の全開状態が規制される。
【００２５】
右側の揺動部材１３の右端部中央部とベースプレート１１の後端部との間には、引っ張りばねからなる弾性部材１４（図８、図９参照）が掛け渡されている。引っ張りばね１４は、右側の揺動部材１３に対し常時開方向への力を加えている。
【００２６】
右側の揺動部材１３と左側の揺動部材１２は、連結機構１５によって連結されている。連結機構１５は、右側の揺動部材１３の上面の軸部１３a寄りの左端側に形成された係合突起１６と、左側の揺動部材１２の軸部１２a寄りの右側面に左右方向へ延びて形成され、係合突起１６が移動可能に収容される凹部１７とにより構成されている。係合突起１６は第１可動役物７が全閉状態と全開状態との間で変位する間、常に凹部１７に収容された状態に保たれる。上記のように、右側の揺動部材１３は引っ張りばね１４によって常時開方向へ付勢されている。このため、連結機構１５の係合突起１６は凹部１７の内壁面と常時当接した状態に保たれ、左側の揺動部材１２も開方向へ常時付勢されるようになる。
【００２７】
ベースプレート１１の上面に、下方が開口した下側ケース部材１９（図７）がねじ止めされ、下側ケース部材１９には、ステッピングモータ２０が固定されている。ステッピングモータ２０は、出力軸２０aが下に位置するよう縦置きとされる。ステッピングモータ２０の出力軸２０aにはカム２１が固着されており、このカム２１のカム面２１a（図８）に、左側の揺動部材１２の上面に突設されたカムフォロア１８が当接している。カム面２１aは、上述したような左側の揺動部材１２に加わっている開方向への付勢力により軸部１２aを中心として回動しようとするカムフォロア１８を受け止め、その移動を阻止するストッパーとしての作用を発揮する。換言すると、カム２１及びカムフォロア１８は、揺動部材１２，１３の開方向への移動を阻止する規制機構としての作用を発揮する。
【００２８】
カム面２１aは、揺動部材１２，１３（第１可動役物７）を全閉状態に規制するためにカム２１の回転中心２１bから最も遠くなる位置P1（図８（A）参照）と、揺動部材１２，１３（第１可動役物７）を全開可能にするためにカム２１の回転中心２１bから最も近くなる位置P2（図８（B）参照）とを有し、両位置P1、P2の間は、カム２１の回転中心２１bから距離が徐々に変化する位置となるようにカム面２１aが形成されている。
【００２９】
下側ケース部材１９の上面には、下方が開口した上側ケース部材２２（図６、図７）がねじ止めされる。上側ケース部材２２の上面の前端部には、左右方向に間隔を置いて垂直に形成された一対のガイドリブ２３，２４が設けられている。また、第２可動役物１０の後面には、ガイド部材２５が設けられている。ガイド部材２５は、上下方向に貫通した左右一対のガイド孔部２６，２７が前後方向に延びて形成されている。各ガイド孔部２６，２７には、各ガイドリブ２３，２４が挿通されており、各ガイド孔部２６，２７が各ガイドリブ２３，２４と係合しながら前後方向へ移動することで第２可動役物８は前後方向に円滑に移動することができる。
【００３０】
ガイド部材２５において、一対のガイド孔部２６，２７の中間に位置する箇所には、上下方向に貫通した長孔部２８が左右方向に延びて形成されている。また、上側ケース部材２２の上面には、上側ケース部材２２に固定された軸部２９aを中心として水平方向に揺動可能な直線状のレバー部材２９が設けられている。レバー部材２９の先端部には、下方へ延びた駆動ピン３０が形成されており、この駆動ピン３０は、上記長孔部２８に挿入されている。
【００３１】
上側ケース部材２２の下面には、ステッピングモータ３１がねじ止めされている。ステッピングモータ３１は、出力軸３１aが上となる縦置きとされている。ステッピングモータ３１の出力軸３１aには、回転板３２が固着されており、この回転板３２の上面に連結ピン３３が偏心して形成されている。また、レバー部材２９の基端部には、上下方向に貫通し、かつレバー部材２９の長手方向に延びる長孔部３４が形成されている。この長孔部３４に連結ピン３３が挿通されている。
【００３２】
第２可動役物８が後退位置にあるとき（図１２（A）参照）、連結ピン３３は前端に位置し、レバー部材２９の駆動ピン３０は後端に位置するため、ガイド部材２５は後端に位置し、第２可動役物８は後退位置に保たれる。この状態からステッピングモータ３１が回転すると、連結ピン３３が長孔部３４の内壁面を後方へ押圧し、レバー部材２９が軸部２９aを中心として平面視反時計方向へ回動し、駆動ピン３０が長孔部２８の内壁面を前方へ押圧するようになり、これにより、第２可動役物８は前進する。
【００３３】
第２可動役物８が前進位置に達した（図１２（B）参照）後、さらにステッピングモータ３１が同一方向へ回転すると、連結ピン３３が長孔部３４の内壁面を今度は前方へ押圧し、レバー部材２９が軸部２９aを中心として平面視時計方向へ回動し、駆動ピン３０が長孔部２８の内壁面を後方へ押圧するようになり、これにより、第２可動役物８は後退する。
【００３４】
次に、上記のように構成された役物装置５の動作例を説明する。
【００３５】
通常時は、第１可動役物７は図２、図３及び図８（A）に示すような全閉状態にあり、かつ、第２可動役物８は図２、図３及び図１２（A）に示すように第１可動役物７の後方の後退位置にある。この第１可動役物７の全閉時には、左側の揺動部材１２のカムフォロア１８は、カム２１の回転中心２１bから最も遠い位置P1でカム面２１aと常時当接しており、一対の揺動部材１２，１３は、開方向への移動が規制されている。この全閉時、連結機構１５の係合突起１６は、右側の揺動部材１３が引っ張りばね１４によって常時開方向へ付勢されているため、凹部１７の前側壁面と当接した状態に保たれる。
【００３６】
そして、所定の遊技状態が発生する、例えば図柄変動が開始すると、第１可動役物７は数秒間、小刻みに開閉を繰り返す振動動作を開始する。この振動動作は、ステッピングモータ２０が正転と逆転を繰り返すことによって左側の揺動部材１２のカムフォロア１８がカム面２１a上を摺動することによって行われる。この振動動作時においても、連結機構１５の係合突起１６は、右側の揺動部材１３が引っ張りばね１４によって常時開方向へ付勢されているため、凹部１７の内壁面と常時当接した状態に保たれ、連結機構１５は、クリアランスなしに連結状態に保たれる。したがって、ステッピングモータ２０の回転角度が変化したときに両揺動部材１２，１３は応答性、追従性に優れた動作を行うことができる。なお、この振動開始時に、「ドン」という効果音が鳴り、その後は、「ゴゴゴ‥‥」という効果音が鳴る。
【００３７】
その後、他の所定の遊技状態が発生する、例えばリーチ演出が確定すると、第１可動役物７は全開する。この全開動作は、ステッピングモータ２０の回転により、カムフォロア１８が、カム面２１aに沿ってカム２１の回転中心２１bから最も遠い位置P1から最も近い位置P2に移動する。
【００３８】
これにより、第１可動役物７の開閉部材７A、７Bが離間され、第２可動役物８の前方は開放される。その後、後退位置にあった第２可動役物８が前進位置まで前進する。この前進動作は、ステッピングモータ３１の回転により、レバー部材２９が平面視反時計方向へ回動することによって行われる。
【００３９】
以上説明したように、本実施形態に係る役物装置５は、所定方向（遊技盤１００の左右方向）に往復移動する第１可動役物７と、第１可動役物７とは異なる所定方向（遊技盤１００の前後方向）に往復移動する第２可動役物８とを備え、第１可動役物７及び第２可動役物８を遊技盤１００の正面から見て重なり合う位置に配置して構成される。このため、２つの可動役物７，８により、動きの変化パターンが増加し、従前とは異なる斬新な役物の動きが可能となり、遊技者に興趣を与えることができる。
【００４０】
また、本実施形態の役物装置５は、第１可動役物７は第２可動役物８の前方に配置されており、第１可動役物７を遊技盤１００の左右方向へ往復移動させる第１役物駆動手段１２，１３，１４，１５，１８，２０，２１等と、第２可動役物８を遊技盤１００の前後方向へ往復移動させる第２役物駆動手段２８，２９，３０，３１，３２，３３，３４等とを備える。
【００４１】
第１役物駆動手段は、第１駆動モータ（ステッピングモータ２０）と、第１駆動モータ２０の回転力を円弧状運動に変換して第１可動役物７を遊技盤１００の左右方向へ往復移動させる第１変換機構１２，１３，１４，１５，１８，２１等とを備える。また、第２役物駆動手段は、第２駆動モータ（ステッピングモータ３１）と、第２駆動モータ３１の回転力を直線運動に変換して第２可動役物８を遊技盤１００の前後方向へ往復移動させる第２変換機構２８，２９，３０，３２，３３，３４等とを備える。図６及び図７に示すように、第１変換機構１２，１３，１４，１５，１８，２１等及び第２変換機構２８，２９，３０，３２，３３，３４等は、上下に重なり合うよう配置されている。このように第１変換機構１２，１３，１４，１５，１８，２１等と第２変換機構２８，２９，３０，３２，３３，３４等を上下に重なり合うよう配置することにより、役物装置５の小型化、コンパクト化を図ることができる。
【００４２】
また、第１駆動モータ２０及び第２駆動モータ３１をそれぞれ縦置きとし、両駆動モータ２０，３１を、第１変換機構１２，１３，１４，１５，１８，２１等及び第２変換機構２８，２９，３０，３２，３３，３４等を挟むように配置することにより、役物装置５の上下方向の寸法を短く設定することが可能となる。
【００４３】
また、第１可動役物７は、互いに接近、離間する左右一対の開閉部材７A、７Bからなり、かつ、第１変換機構は、先端に開閉部材７A、７Bが各々設けられた、互いに接近、離間可能な一対の揺動部材１２，１３と、一方の揺動部材１３に対し常時開方向の力を加える弾性部材（引っ張りばね１４）と、一方の揺動部材１３に加わる開方向の力を他方の揺動部材１２に伝達する連結機構１５（係合突起１６と凹部１７）と、第１駆動モータ２０の回転に従って変位しつつ他方の揺動部材１２の開動作を規制する規制機構（カム２１）とを備える。
【００４４】
このような構成において、一方の揺動部材１３に対しては常時開方向の力が弾性部材１４から直接加わっており、また、他方の揺動部材１２に対しては連結機構１５を介して常時開方向の力が加わっている。一方、他方の揺動部材１２は、規制機構２１により開動作が規制されており、連結機構１５を介して一方の揺動部材１３の開動作も規制されている。ここで、規制機構２１は、第１駆動モータ２０の回転に従って変位するものであり、規制機構２１は第１駆動モータ２０の回転角度に応じた位置をとり、この規制機構２１の位置によって他方の揺動部材１２の開度が決まると共に、この他方の揺動部材１２の開度により連結機構１５を介して一方の揺動部材１３の開度も決まる。
【００４５】
弾性部材１４は、その付勢力により連結機構１５をクリアランスなしに連結状態に保つ作用を発揮する。また、弾性部材１４は、その付勢力により他方の揺動部材１２を規制機構２１に押し付ける作用を発揮する。したがって、第１駆動モータ２０の回転角度が変化したときに両揺動部材１２，１３は応答性、追従性に優れた動作を行うことが可能となり、よって、両揺動部材１２，１３換言すると第１可動役物７を複雑かつ変化に富んだ態様で動作させることが可能となる。
【００４６】
なお、ステッピングモータ２０，３１の代わりにDCモータ等を用いてもよい。また、引っ張りばね１４の代わりに圧縮ばねを揺動部材１３の左右反対側に設けるようにしてもよい。さらに、役物装置５の基本的構成の変形例として、通常時は第２可動役物８を第１可動役物７の前方に配置させ、演出時には第１可動役物７を開放してから第２可動役物８を後退させ、その後第１可動役物７を閉じる構成を採用するようにしてもよい。
【図面の簡単な説明】
【００４７】
【図１】本発明の一実施形態に係る役物装置が組み込まれたパチンコ遊技機の遊技盤の正面図である。
【図２】役物装置の非動作時の正面図である。
【図３】役物装置の非動作時の斜視図である。
【図４】役物装置の動作時の正面図である。
【図５】役物装置の動作時の斜視図である。
【図６】役物装置の分解斜視図である。
【図７】役物装置の背面図である。
【図８】第１可動役物の動作を説明するための平面図である。
【図９】第１可動役物の駆動系を正面側から見た斜視図である。
【図１０】第１可動役物の駆動系の配線を表した斜視図である。
【図１１】第１可動役物の一方の揺動部材側の配線を説明するための平面図である。
【図１２】第２可動役物の動作を説明するための平面図である。
【符号の説明】
【００４８】
５    役物装置
７    第１可動役物
７A、７B    開閉部材
８    第２可動役物
１２    他方の揺動部材（第１変換機構）
１３    一方の揺動部材（第１変換機構）
１４    引っ張りばね（弾性部材、第１変換機構）
１５    連結機構（第１変換機構）
１８    カムフォロア（第１変換機構）
２０    ステッピングモータ（第１駆動モータ）
２１    カム（第１変換機構、規制機構）
２８    長孔部（第２変換機構）
２９    レバー部材（第２変換機構）
３０    駆動ピン（第２変換機構）
３１    ステッピングモータ（第２駆動モータ）
３２    回転板（第２変換機構）
３３    連結ピン（第２変換機構）
３４    長孔部（第２変換機構）
１００    遊技盤
【図１】
2007029255.tif 000003
【図２】
2007029255.tif 000004
【図３】
2007029255.tif 000005
【図４】
2007029255.tif 000006
【図５】
2007029255.tif 000007
【図６】
2007029255.tif 000008
【図７】
2007029255.tif 000009
【図８】
2007029255.tif 000010
【図９】
2007029255.tif 000011
【図１０】
2007029255.tif 000012
【図１１】
2007029255.tif 000013
【図１２】
2007029255.tif 000014